(57)【要約】【課題】ディスクの中心部周辺の領域内にデータを記録し、再生するためのピックアップを提供すること。【解決手段】アクチュエータ（Ａ）は、フォーカス方向（Ｙ）に、およびトラッキング方向（Ｘ）に移動可能であり、レンズ（３）とカウンターウェイト（７）を担持する平板（Ｂ）を有する。平板（Ｂ）は、フォーカス方向（Ｙ）に対して直交するように配置され、トラッキングコイルとフォーカスコイルを担持する。ピックアップ（Ｐ）は、トラッキング方向（Ｘ）に配置され、フォーカス方向（Ｙ）に対して直交するように延在する２つのトラッキング磁石（１２）とトラック（Ｔ）方向に対して直交するように延在する２つのフォーカス磁石（１３）を有する。レンズ（３）は、平板（Ｂ）の中心部（Ｍ）を通って軸（Ｌ）に対して非対称に配置されるが、レンズ（３）とカウンターウェイト（７）は、平板（Ｂ）の中心部（Ｍ）に対して対称に配置される。【選択図】図３
2008165973.tif 000002
【特許請求の範囲】
【請求項１】
平行な情報トラック（Ｔ）を有する移動記憶媒体（Ｄ）にアクセスするためのピックアップ（Ｐ）であって、
前記ピックアップ（Ｐ）は、キャリア（Ｃ）と、レンズ（３）を備えたアクチュエータ（Ａ）と、前記キャリア（Ｃ）の後部から延在し、前記キャリア（Ｃ）および前記アクチュエータ（Ａ）を連結するサスペンションワイヤ（４）とを有し、
前記アクチュエータ（Ａ）は、フォーカス方向（Ｙ）およびトラッキング方向（Ｘ）に移動可能であり、前記レンズ（３）およびカウンターウェイト（７）を担持する長方形の平板（Ｂ）を有し、
前記平板（Ｂ）は、前記フォーカス方向（Ｙ）に対して直交するように配置され、トラッキングコイルおよびフォーカスコイルを持ち、
前記ピックアップ（Ｐ）は、前記平板（Ｂ）の対向する側面で、前記トラッキング方向（Ｘ）に配置され、前記平板（Ｂ）の上側および／または下側に、前記フォーカス方向（Ｙ）に対して直交するように延在する少なくとも２つのトラッキング磁石（１２）、ならびに前記平板（Ｂ）の前側および後ろ側に配置され、前記トラック（Ｔ）の方向に対して直交するように延在する少なくとも２つのフォーカス磁石（１３）と共に、前記キャリア（Ｃ）に接続された磁石構成を有し、
前記レンズ（３）は、前記トラック（Ｔ）の方向に対して平行な前記平板（Ｂ）の中心部（Ｍ）を通って軸（Ｌ）を基準にして非対称に配置されるが、前記レンズ（３）および前記カウンターウェイト（７）は、前記平板（Ｂ）の前記中心部（Ｍ）を基準にして対称であることを特徴とするピックアップ（Ｐ）。
【請求項２】
前記レンズ（３）は、前記平板（Ｂ）の前方隅部に配置されることを特徴とする請求項１に記載のピックアップ（Ｐ）。
【請求項３】
前記平板（Ｂ）のより長い側面が、前記トラッキング方向（Ｘ）に対して平行な前記フォーカス磁石（１３）間に配置され、前記平板（Ｂ）は、両方の側面で前記フォーカス磁石（１３）から突出し、前記レンズ（３）は、前方フォーカス磁石（１３）に隣接して側部（１４）の前側に配置されることを特徴とする請求項１または２に記載のピックアップ（Ｐ）。
【請求項４】
前記トラッキング磁石（１２）は、前記平板（Ｂ）の前記側部（１４）の領域内に配置されることを特徴とする請求項３に記載のピックアップ（Ｐ）。
【請求項５】
前記トラッキング磁石（１２）は、前記キャリア（Ｃ）のベース（１）上に配置され、前記ベース（１）の側面アーム（１８）が、前記トラッキング磁石（１２）のためのヨークを構成している前記平板（Ｂ）を覆って配置されることを特徴とする請求項４に記載のピックアップ（Ｐ）。
【請求項６】
請求項１から５の一項に記載のピックアップ（Ｐ）を有することを特徴とする移動記憶媒体ドライブ。
【発明の詳細な説明】
【技術分野】
【０００１】
本発明は、請求項１にあるように、移動記憶媒体にアクセスするためのピックアップに関し、より詳細には、例えばＤＶＤプレーヤ、ＤＶＤレコーダ、または類似装置の記録装置および／または再生装置の一部として使用されるピックアップに関する。
【背景技術】
【０００２】
移動記憶媒体にアクセスするためのピックアップは、ディスクの半径方向に移動しながら、実質的に平行な情報トラック、すなわち回転ディスクを担持する移動記憶媒体に対して情報を記録し、かつ／または再生する。
【０００３】
対物レンズアクチュエータと称されるピックアップは、製造および組み立てを容易にする平面形態を有する、対物レンズホルダと称されるアクチュエータを使用している（特許文献１参照）。ピックアップは、その光ピックアップヘッドのフォーカス方向、トラッキング方向、およびラジアルチルト方向を制御する。
【０００４】
ピックアップは、強磁性ヨーク、ダンパーホルダおよびプリント回路として構成されているキャリアと、レンズを備えたアクチュエータと、キャリアの後部から延在し、キャリアとアクチュエータを連結するサスペンションワイヤとを有する。アクチュエータは、実質的に長方形の平板として構成されている。平板は、フォーカス方向に対して直角に配置され、トラッキングコイル、およびフォーカスコイルを担持する。レンズは、平板の中心部に、ディスクに向けられて、上側に配置されている。カウンターウェイトが設けられる。
【０００５】
加えて、ピックアップは、４つのトラッキング磁石および２つのフォーカス磁石を備えた、キャリアに結合された磁石構成を有する。２つのトラッキング磁石はそれぞれ、トラッキング方向の平板の対向する側面に配置され、平板の上側および下側のフォーカス方向に直交する方向に延在する。２つのフォーカス磁石は、平板の前側および後ろ側に配置され、トラック方向に直行する方向に延在する。
【０００６】
サスペンションワイヤは両方とも、アクチュエータを移動可能なように支持し、ならびにアクチュエータ上のコイルに電流を加える。コイルおよび磁石構成からなる磁気駆動部分は、アクチュエータの動作を開始する。アクチュエータは、フォーカス方向に、トラッキング方向に、ならびにフォーカス方向によって、およびトラッキング方向によってそれぞれ張られた平面内のラジアルチルト方向に、キャリアに対して比較的移動可能である。レンズを備えたアクチュエータを移動することにより、ビームスポットをディスク上に正確に決めることが可能である。
【０００７】
弱点は、ピックアップの中心部に配置されたレンズと、ピックアップの外面との間には一定の距離がある。いくつかの駆動要素が動作中のディスクの中央開口部には必要であるので、ピックアップのレンズは、ディスク中心部付近には配置不可能である。結果的として、データの記録および／または再生は、ディスクの中心部周辺の特定の領域内では不可能である。
【０００８】
対物レンズ駆動装置と称される追加の薄いピックアップが記載されている（例えば、特許文献２参照）。この装置は、対物レンズを保持するためのレンズホルダ周辺に配置されたトラッキング駆動磁石およびフォーカシング駆動磁石を含む。突出したポールがレンズホルダからこれらの磁石の方向に突き出ており、トラッキング駆動コイルおよびフォーカシング駆動コイルがこれらの突出したポールに巻き付けられる。
【０００９】
この円形ピックアップは、その中心部に吊るされている。弱点としては、トラッキング方向のレンズの動作は、サスペンションワイヤを備えたピックアップの円弧に比べてより強く湾曲している円弧をたどることである。ピックアップは、レンズホルダの前側ではトラックの方向に、およびピックアップの中心部ではトラッキング方向に配置されるレンズを備える。
【００１０】
このピックアップはまた、ディスクの中心部周辺の特定の領域内にデータを記録し、かつ／および再生することは不可能である。
【００１１】
【特許文献１】米国特許出願公開第２００６／０１４３６３９号明細書
【特許文献２】日本国特許第１０１７２１１５７  Ａ２号公報
【発明の開示】
【発明が解決しようとする課題】
【００１２】
したがって、ディスクの中心部周辺の特定の領域内にデータを記録し、かつ／または再生するために、請求項１のように、ピックアップを改良することが望ましい。
【課題を解決するための手段】
【００１３】
本発明によれば、これは請求項１の特徴によって達成される。本発明の可能な優れた成果を添付の請求項に明確に述べている。
【００１４】
実質的に平行な情報トラックを担持する移動記憶媒体にアクセスするためのピックアップは、キャリアと、レンズを備えたアクチュエータと、キャリアおよびアクチュエータを連結するサスペンションワイヤとを有する。アクチュエータは、フォーカス方向に、およびトラッキング方向に移動可能である。アクチュエータは、レンズおよびカウンターウェイトを担持する実質的に長方形の平板を有する。平板は、フォーカス方向に対して直交するように配置され、トラッキングコイルおよびフォーカスコイルを担持する。
【００１５】
サスペンションワイヤは、実質的に平行に配置され、媒体上でスキャンされている情報トラックの方向に配向され、キャリアの後部から、典型的には、ホルダから、平板に延在する。それらは、平板を基準にして対称に配置され、平板の対向する側面にはんだ付けされる。
【００１６】
ピックアップは、少なくとも２つのトラッキング磁石および少なくとも２つのフォーカス磁石と共にキャリアに結合される磁石構成を有する。トラッキング磁石は、トラッキング方向の平板の対向する側面に配置され、平板の上側および／または下側にフォーカス方向に対して直交するように延在する。フォーカス磁石は、平板の前側および後ろ側に配置され、トラックの方向に対して直交するように延在する。つまり、フォーカス磁石は、平板の対向する側面、後部および前部にトラックの方向に配置される。平板の後部は、キャリアの後部に向けられる。前方のフォーカス磁石は、平板の前側に配置され、後方のフォーカス磁石は、平板の後部に、すなわち、キャリアの後部と平板との間に配置される。
【００１７】
本発明によれば、レンズは、トラックの方向に対して平行な平板の中心部を通る軸を基準にして非対称に配置されるが、レンズおよびカウンターウェイトは、平板の中心部を基準にして対称に配置される。つまり、カウンターウェイトは、平板の中心部を通ってレンズからカウンターウェイトに延在する対角線において対称に配置される。
【００１８】
非対称に配置されるレンズは、トラッキング方向の平板の一方の側面でピックアップの外面付近に配置される。結果として、本発明のピックアップは、ディスクの中心部付近にデータを記録し、かつ／または再生することができる。
【００１９】
好ましくは、レンズは、平板の前方隅、すなわち、キャリアの後部に対向する平板の前部における隅に配置される。
【００２０】
優れた点として、平板のより長い側面は、フォーカス磁石間で、トラッキング方向に対して平行に配置可能であるが、平板の側部は、両方の側面でフォーカス磁石から突出することが可能である。レンズは、前方フォーカス磁石に隣接して、側部のうちの１つの前側に配置可能である。好ましくは、トラッキング磁石は、平板の側部の領域内に配置可能である。
【００２１】
優れた点として、トラッキング磁石は、平板の下側に、キャリアのベース上に配置可能であるが、平板を覆って配置されるベースの側面アームは、トラッキング磁石のためのヨークを構成している。
【００２２】
好ましくは、移動記憶媒体ドライブに、本発明によるピックアップを備える。
【００２３】
一連の硬く接続された要素であるキャリアは、典型的には、全体として、キャリア、サスペンションワイヤおよびアクチュエータを含むピックアップが、媒体上のすべての記憶場所がアクセス可能であるように、記憶媒体上の情報トラックに対して直交する方向に移動可能であり、移動を妨げない。本明細書では、アクセスは、記憶媒体からの読取り情報のための読取りアクセス、または記憶媒体上に情報を書き込むため、もしくは記録するための書込みアクセス、または読取りアクセスと、書込みアクセスとの組合せを含むものとする。
【００２４】
移動記憶媒体の１つの可能な形態は、アクセス光線が生成され、情報トラック上に合焦され、かつ、情報トラックから戻り、情報トラックにより変調される反射光線が光検出装置の上に合焦され、評価されている反射型のアクセスによる、同心の円または螺旋の情報トラックを担持するディスクである。しかし、それは、カードまたはテープ形態における情報トラックなど、層における情報トラックを有する光記録媒体の他の形態に、アクセス方式が反射型またはトランスダクティブ型であるかに関係なく、本発明の範囲内において使用されるべきである。
【００２５】
本発明は、図１から６に示す一実施形態を使用して、より詳細に説明されるであろう。
【発明を実施するための最良の形態】
【００２６】
図を参照すると、本発明によれば、移動記憶媒体すなわちディスクＤにアクセスするためのピックアップＰは、ベース１およびホルダ２を備えたキャリアＣと、レンズ３を備えたアクチュエータＡと、キャリアＣの後部から延在し、キャリアＣおよびアクチュエータＡを連結する４つのサスペンションワイヤ４とを有する。
【００２７】
サスペンションワイヤ４を備えたサスペンションを用いることにより、レンズ３を備えたアクチュエータＡは、非常に拡大した不均衡な距離で図１に示した実質的に円形の情報トラックＴを有するディスクＤに対して直交したフォーカス方向Ｙにフォーカス動作を行うことができる。加えて、アクチュエータＡは、ディスクＤの表面に対して平行な、および情報トラックＴに対して直交したトラッキング方向Ｘにトラッキング動作を行うことができる。加えて、アクチュエータＡは、トラックＴの方向に、すなわち、スキャニングスポットＳでの情報トラックＴの接線に平行な情報方向Ｚの周辺で回転することにより、いわゆるラジアルチルト動作を行うことができる。
【００２８】
アクチュエータＡは、フォーカス方向Ｙに対して直交して配置され、レンズ３を担持する平板Ｂを含む。サスペンションワイヤ４は、平行に配置され、情報方向Ｚに配向される。それらは、平板Ｂを基準にして対称に配置される。２つのサスペンションワイヤ４は、平板Ｂのトラッキング方向Ｘの２つの対向する各側面で切れている。２つのサスペンションワイヤ４は、平板Ｂの各側部で、フォーカス方向Ｙにおいて両上面上に配置され、はんだ付けポイント５によって平板Ｂの１つの端部とはんだ付けされる。平板Ｂは、実質的に長方形であり、トラッキング方向Ｘにおいてその対向する側面のそれぞれの中間部に小さな突起形状部６を含む。２つの対応するサスペンションワイヤ４のはんだ付けポイント５は、２つの突起形状部６のそれぞれの上面および底面に配置される。
【００２９】
本発明によれば、レンズ３は、平板Ｂの中心部Ｍを通って情報方向Ｚに対して平行な軸Ｌを基準にして非対称に配置されるが、レンズ３およびカウンターウェイト７は、中心部Ｍを基準にして対称に配置される。具体的には、レンズ３は、平板Ｂの前方隅部、すなわちキャリアＣの後部に対向する平板Ｂの前部で隅部に配置される。レンズ３は、連結要素８によって平板Ｂに接続される。連結要素８は、直角な形状をしており、その一方の要素９は、情報方向Ｚに対して直行するように延在し、そのもう一方の要素１０は、フォーカス方向Ｙに対して直行するように延在する。要素９は、その底縁部と共に平板Ｂに接続されるが、レンズ３のための開口部１１を有する要素１０は、平板Ｂの前側に、その平板から、およびその平板の上側に延在する。カウンターウェイト７は、例えば、平板Ｂの中心部Ｍを通ってレンズ３からの対角線の端部に位置する隅部で、平板Ｂの対向する後方隅部に配置される。カウンターウェイト７の形状、重量および配置は、カウンターウェイト７が平板Ｂの後ろ側に、その平板から、およびその平板の下側に延在するような形で、レンズ３を備えた連結要素８に対応する。
【００３０】
平板Ｂは、その上側に、図には示していないが、トラッキングコイルおよびフォーカスコイルを担持する。具体的には、平板Ｂは、プリント回路基板によって構成されている。
【００３１】
ピックアップＰは、２つのトラッキング磁石１２および２つのフォーカス磁石１３と共にキャリアＣに接続されている磁石構成を有する。トラッキング磁石１２は、平板Ｂの対向する側面で、トラッキング方向Ｘに配置され、フォーカス方向Ｙに対して直交するように平板Ｂの下側に延在する。２つのフォーカス磁石１３は、平板Ｂの前側におよび後ろ側に配置され、トラックＴの方向に対して直交するように延在する。
【００３２】
平板Ｂは、フォーカス磁石１３間でトラッキング方向に対して平行に延在するそのより長い側面により配置されるが、平板Ｂは、側部１４を備えた両側面でフォーカス磁石１３から突き出している。より長い側面は、平板Ｂの前部および後部を構成している。レンズ３は、前方フォーカス磁石１３に隣接して側部１４の前側の一部に配置される。トラッキング磁石１２は、平板Ｂの側部１４の領域内に配置される。トラッキング磁石１２およびフォーカス磁石１３は、キャリアＣのベース１上に配置される。
【００３３】
ベース１は、フォーカス方向Ｙに対して直交する、およびディスクＤに対して平行な平面内に、すなわち、トラッキング方向Ｘおよび情報方向Ｚによって張られた平面内に延在する。ホルダ２は、ねじ１６によって、ベース１の固定部１５に接続される。ホルダ２は、サスペンションワイヤ４の他方の端部のためのはんだ付けポイントを備えた第２のプリント回路基板１７を有する。第２のプリント回路基板１７はアクチュエータＡの後ろ側に、すなわち、平板Ｂに対向するホルダ２の側に位置する。ホルダ２は、ホルダ２を通って延在するサスペンションワイヤ４を減衰させる、ダンピング材料を内側に有するダンピングブロックにより構成されている。
【００３４】
キャリアＣのベース１は、２つのアーム１８を含み、そのそれぞれは、側部１４の領域内に平板Ｂの下側に延在し、サスペンションワイヤ４のはんだ付けされた端部を有する突起形状部６と共に側部１４の周辺に延在し、フォーカス方向Ｙに対して直交するように平板Ｂの上側に延在する。アーム１８は、トラッキング磁石１２のためのヨークを構成している。平板Ｂとアーム１８の上側部分との間隔は、例えばアクチュエータＡのフォーカス動作を可能にする一定の幅である。
【００３５】
キャリアＣのベース１は、ベース１に対して直交するように延在する２つの追加要素１９を含み、その形状は、フォーカス磁石１３の形状に対応する。要素１９のそれぞれは、平板Ｂに対向するその側面上のフォーカス磁石１３の１つに接する。要素１９は、フォーカス磁石１３のためのヨークを構成している。
【００３６】
代替としては、平板Ｂは、付属のトラッキングコイルおよびフォーカスコイルを担持する。
【００３７】
本発明によるピックアップＰは、それが、リニアモータまたはモータ駆動のねじ込み棒など、転換を実現するための適切な線形駆動手段によりドライブのフレーム構造に転換可能なように取り付けられる場合には、光媒体ドライブのいわゆるスライド設計またはスレッド設計に使用可能である。代替としては、本発明によるピックアップＰはまた、それが、フォーカス方向に対して平行な枢動軸を有するアームの端部上に枢動可能なように取り付けられる場合には、いわゆるスイベルアーム設計に使用可能である。そのようにして、ピックアップＰは、トラッキング方向Ｘに主に拡張する円弧に沿って、ディスクＤの表面のトラックＴ全域で移動可能である。
【図面の簡単な説明】
【００３８】
【図１】本発明の実施形態のレンズを備えた平板の簡略化した透視図である。
【図２】平板の簡略化した側面図である。
【図３】上からの、平板を備えたピックアップの簡略化した透視図である。
【図４】ピックアップの簡略化した側面図である。
【図５】前部からの、ピックアップの簡略化した透視図である。
【図６】ピックアップの簡略化した前面図である。
【図１】
2008165973.tif 000003
【図２】
2008165973.tif 000004
【図３】
2008165973.tif 000005
【図４】
2008165973.tif 000006
【図５】
2008165973.tif 000007
【図６】
2008165973.tif 000008